(57)【要約】      （修正有）【課題】  広い浴室内の均質な加温、岩盤浴に適した岩盤表面温度、室内気温および室内湿度を制御し、一定に管理でき、床下配管の給湯システムによる岩盤の加熱が、その表面温度や室内気温、湿度を、常に安定したものとして管理ができるようになる温浴施設を提供する。【解決手段】  密閉型浴室２内の土間コンクリート上に所定ピッチに蛇行上下パイプを敷設してから保護コンクリート層を介して育成波コンクリート層を形成した上、育成波コンクリート層の少なくとも一人寝用として区画する単位スペース５１に僅かな下り勾配をもたせて育成波エネルギーを発する原石盤５２を略面一状に埋設、固定し、最高位付近から適量の温水を適時または常時供給流下可能としてなる温浴施設。【選択図】図４
2007307260.tif 000002
【特許請求の範囲】
【請求項１】
密閉型浴室内の土間コンクリート上に、少なくとも上下二段組みとし、各段とも夫々所定ピッチに蛇行、配管してなる床暖房用のパイプを敷設し、それら全体を保護コンクリート層内に埋設、固定すると共に、その上に育成波エネルギーを発する自然石粉末が混練されてなる育成波コンクリート層を一定方向に向かって僅かな下り勾配となるように形成した上、該育成波コンクリート層の緩傾斜面内における少なくとも一人寝用として区画する単位スペース毎の床面に、育成波エネルギーを発する性状の自然石からなる適宜大きさの原石盤が緩傾斜面に対して略面一状に埋設、固定されてなるものとする一方、それら原石盤を夫々含む単位スペース個々における緩傾斜面の最高位付近からは適量の温水を適時または常時流下可能にすると共に、保護コンクリート層内の床暖房用のパイプには、所定温度に調整、制御した専用ボイラからの温水を循環給湯可能にしてなるものとしたことを特徴とする温浴施設。
【請求項２】
密閉型浴室内の土間コンクリート上に、少なくとも上下二段組みとし、各段とも夫々所定ピッチに蛇行、配管してなる床暖房用のパイプを敷設し、それら全体を保護コンクリート層内に埋設、固定すると共に、その上に育成波エネルギーを発する自然石粉末が混練されてなる育成波コンクリート層を一定方向に向かって５％ないし２０％程度の下り勾配となるように形成した上、該育成波コンクリート層の緩傾斜面内における少なくとも一人寝用として区画する単位スペース毎の床面に、育成波エネルギーを発する性状の自然石からなる適宜大きさの原石盤が緩傾斜面に対して略面一状に埋設、固定されてなるものとする一方、それら原石盤を夫々含む単位スペース個々における緩傾斜面の最高位付近からは適量の温水を適時または常時流下可能にすると共に、保護コンクリート層内の床暖房用のパイプには、所定温度に調整、制御した専用ボイラからの温水を循環給湯可能にしてなるものとしたことを特徴とする温浴施設。（より具体的な限定：勾配の限定）
【請求項３】
密閉型浴室内の土間コンクリート上に、少なくとも上下二段組みとし、各段とも夫々所定ピッチに蛇行、配管してなる床暖房用のパイプを敷設し、それら全体を保護コンクリート層内に埋設、固定すると共に、その上に育成波エネルギーを発する自然石粉末が混練されてなる育成波コンクリート層を一定方向に向かって５％ないし２０％程度の下り勾配となるように形成した上、該育成波コンクリート層の緩傾斜面内における少なくとも一人寝用として区画する単位スペース毎の床面に、育成波エネルギーを発する性状の自然石からなる適宜大きさであって、その上面を仰臥人体の経絡上のツボ付近に当接可能な凹凸面形状とした原石盤が緩傾斜面に対して略面一状に埋設、固定されてなるものとする一方、それら原石盤を夫々含む単位スペース個々における緩傾斜面の最高位付近からは適量の温水を適時または常時流下可能にすると共に、保護コンクリート層内の床暖房用のパイプには、所定温度に調整、制御した専用ボイラからの温水を循環給湯可能にしてなるものとしたことを特徴とする温浴施設。（さらに具体的な構成：凹凸面の限定）
【請求項４】
密閉型浴室内の土間コンクリート上に、少なくとも上下二段組みとし、各段とも夫々所定ピッチに蛇行、配管してなる床暖房用のパイプを敷設し、それら全体を保護コンクリート層内に埋設、固定すると共に、その上に育成波エネルギーを発する自然石粉末が混練されてなる育成波コンクリート層を一定方向に向かって５％ないし２０％程度の下り勾配となるように形成した上、該育成波コンクリート層の緩傾斜面内における少なくとも一人寝用として区画する単位スペース毎の床面に、育成波エネルギーを発する性状の自然石からなる適宜大きさであって、その上面に仰臥人体が僅かに浮いた状態に支持可能な複数の凸部を形成した原石盤が緩傾斜面に対して略面一状に埋設、固定されてなるものとする一方、それら原石盤を夫々含む単位スペース個々における緩傾斜面の最高位付近からは適量の温水が原石盤に設けた複数の凸部間を適時または常時流下可能にすると共に、保護コンクリート層内の床暖房用のパイプには、所定温度に調整、制御した専用ボイラからの温水を循環給湯可能にしてなるものとしたことを特徴とする温浴施設。（表現を変えて示すと：原石盤の複数の凸部間を温水が流下するもの）
【請求項５】
密閉型浴室内の土間コンクリート上に、少なくとも上下二段組みとし、各段とも夫々所定ピッチに蛇行、配管してなる床暖房用のパイプを敷設し、それら全体を保護コンクリート層内に埋設、固定すると共に、その上に育成波エネルギーを発する自然石粉末が混練されてなる育成波コンクリート層を一定方向に向かって５％ないし２０％程度の下り勾配となるように形成した上、該育成波コンクリート層の緩傾斜面内における少なくとも一人寝用として区画する単位スペース毎の床面に、育成波エネルギーを発する性状の自然石からなる適宜大きさであって、その上面に勾配方向に連続する複数本の溝部もしくは網状に繋がった溝部を形状したが緩傾斜面に対して略面一状に埋設、固定されてなるものとする一方、それら原石盤を夫々含む単位スペース個々における緩傾斜面の最高位付近からは適量の温水が原石盤に設けた複数本もしくは網状の溝部を適時または常時流下可能になるようにすると共に、保護コンクリート層内の床暖房用のパイプには、所定温度に調整、制御した専用ボイラからの温水を循環給湯するようにしたことを特徴とする温浴施設。（さらに表現を変えて示すと：原石盤に設けた複数本もしくは網状の溝部を温水が流下するもの）
【請求項６】
個々の単位スペースが、各緩傾斜面の最高位付近から適量の温水を流下可能とし、且つその水温や供給水量等を、該当単位スペースに横たわったままの利用者が、夫々の好みに応じて適宜変更、調節可能とする温水調節機構を設けてなるものとした、請求項１ないし５何れか一項記載の温浴施設。
【請求項７】
単位スペース毎の床面が、原石盤を含む上面を、仰臥人体の背面側を浅く収容するよう湾曲凹面状に掘り下げてなるものとした、請求項１ないし６何れか一項記載の温浴施設。
【請求項８】
単位スペース毎の床面が、原石盤を含む上面を、仰臥人体の背面側形状を象るよう腰部を低く、頭部と脚部側とを高くした大きな波形状に形成してなるものとした、請求項１ないし７何れか一項記載の温浴施設。
【発明の詳細な説明】
【技術分野】
【０００１】
この発明は、温浴施設に関連するあらゆる分野をその技術分野とするものであって、温浴施設を建築する分野は勿論のこと、その建設に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                                    
【背景技術】
【０００２】
（着眼点）
地熱によって暖められた岩盤上に茣蓙やタオル等を敷き、その上に横になって体を暖める岩盤浴は、岩盤から伝わる熱や電磁波等によって暖められ、流れ出る大量の汗と共に体内の老廃物や毒素等を効果的に排出させることができ、健康増進や体質改善に高い効能があることが認められているが、岩盤浴に適した温度で健康の増進に効果のある天然の岩盤は、我が国内の極限られた場所にしか存在しておらず、こうした温泉を利用しようとすると、数ヵ月前から予約を入れ、遠方からはるばる湯治に訪れなければならない等、誰もが気軽に日常的に利用できるものではなかった。
【０００３】
（従来の技術）
このように健康の回復や増進に秀れた効果がある岩盤浴を、もっと気軽に利用できる施設を実現する技術として特開２００１−９５８８９号公報に掲載された「石風呂装置」発明や特開平８−１２４０６号公報の「遠赤外線照射コンクリート体」発明等が既に開発されており、これらは何れもボイラによって加熱された暖房用の配管を室内底面下に埋設状とし、床面に敷設された自然石や自然石のような遠赤外線を照射可能としたコンクリート体、もしくは砂利や砂等を暖める構造とし、天然の岩盤浴施設に近い効能が得られるようにしたものである。
【０００４】
しかしながら、上記発明に代表されるようなこれまでに開発されてきた人工的な温浴施設は、浴室内の温度調節をボイラによる給湯に頼る方式によるため、床面下に敷設した連続する暖房用配管の経路を辿って流れる湯の温度が、供給端と排出端とではかなり大きな温度差を生じてしまい、利用者が横になって温浴効果を享受しようする場所によって温度が高過ぎるか、反対に温度が低過ぎるかしてしまうこととなり、浴室の何処ででも最適な温度で利用できるように調節、管理することが非常に難しいという欠点を有していたことから、可能な限り均質な温度分布の実現が可能になり、しかも熱効率が良くて維持、管理のし易くなるよう改良した温浴施設を、本願発明の発明者自らが既に特開２００５−８７６５１「温浴施設」発明として開発済みであって所期の目的を達成している。                                                                                
【特許文献１】（１）特開２００１−９５８８９号公報  （２）特開平８−１２４０６号公報  （３）特開２００５−８７６５１
【発明の開示】
【発明が解決しようとする課題】
【０００５】
（問題意識）
このようにして完成した人工的な温浴施設によって、健康増進や体質改善に高い効能があることが認められている岩盤浴を、限られた天然の温泉源に頼らないでも多くの人がその効果を比較的手軽に享受し、人体機能の修復、活性化することによって自然治癒力の高揚を図ることができるようにし、自然破壊や複雑化する人間社会等といった様々な要因から誰でも陥りがちな現代病を少しでも和らげたり、あるいは回避できるようにすることができたもの、それら効果を期待して人工的な温浴施設を利用する人々が、その施設利用の間に、さらに利用効果を増進、あるいは他の効果を付加するようにできれば、忙しい日々を送る現代人にとってこれ程望ましいことはないことになる。
【０００６】
（発明の目的）
そこで、この発明は、以上のような問題意識の上に立ち、人工的な温浴施設を利用して岩盤浴による効果を享受する際、人工的に切り出した所定の岩盤表面に所定時間に亘って止まり続ける必要があることから、その間に、岩盤から伝わる熱や電磁波等によって暖められ、流れ出る大量の汗と共に体内の老廃物や毒素等を効果的に排出させるという岩盤浴本来の作用効果を確実に享受しつつ、その岩盤浴とは違う作用によって人体機能の修復、活性化に利するものとなり、惹いては岩盤浴そのものの作用効果さえも更に増強させることができるようにする何か有効な手段が見出せれば、忙しい日々に明け暮れる現代人にとって、この人工的な温浴施設の利用価値が一段と高められることになるのではないかとの判断から、逸速くその開発、研究に着手し、長期に渡る試行錯誤と幾多の試作、実験とを繰り返してきた結果、今回、遂に改良された新規な構造の温浴施設を実現化することに成功したものであり、以下では、図面に示すこの発明を代表する実施例と共に、その構成を詳述することとする。                                                                                    
【課題を解決するための手段】
【０００７】
（発明の構成）
図面に示すこの発明を代表する実施例からも明確に理解されるように、この発明の温浴施設は、基本的に次のような構成から成り立っている。
即ち、密閉型浴室内の土間コンクリート上に、少なくとも上下二段組みとし、各段とも夫々所定ピッチに蛇行、配管してなる床暖房用のパイプを敷設し、それら全体を保護コンクリート層内に埋設、固定すると共に、その上に育成波エネルギーを発する自然石粉末が混練されてなる育成波コンクリート層を一定方向に向かって僅かな下り勾配となるように形成した上、該育成波コンクリート層の緩傾斜面内における少なくとも一人寝用として区画する単位スペース毎の床面に、育成波エネルギーを発する性状の自然石からなる適宜大きさの原石盤が緩傾斜面に対して略面一状に埋設、固定されてなるものとする一方、それら原石盤を夫々含む単位スペース個々における緩傾斜面の最高位付近からは適量の温水を適時または常時流下可能にすると共に、保護コンクリート層内の床暖房用のパイプには、所定温度に調整、制御した専用ボイラからの温水を循環給湯可能にしてなるものとした構成を要旨とする温浴施設である。
【０００８】
上記のとおりの基本的な構成によるこの発明の温浴施設を、より具体的なものとして示すと、密閉型浴室内の土間コンクリート上に、少なくとも上下二段組みとし、各段とも夫々所定ピッチに蛇行、配管してなる床暖房用のパイプを敷設し、それら全体を保護コンクリート層内に埋設、固定すると共に、その上に育成波エネルギーを発する自然石粉末が混練されてなる育成波コンクリート層を一定方向に向かって５％ないし２０％程度の下り勾配となるように形成した上、該育成波コンクリート層の緩傾斜面内における少なくとも一人寝用として区画する単位スペース毎の床面に、育成波エネルギーを発する性状の自然石からなる適宜大きさの原石盤が緩傾斜面に対して略面一状に埋設、固定されてなるものとする一方、それら原石盤を夫々含む単位スペース個々における緩傾斜面の最高位付近からは適量の温水を適時または常時流下可能にすると共に、保護コンクリート層内の床暖房用のパイプには、所定温度に調整、制御した専用ボイラからの温水を循環給湯可能にしてなるものとした構成からなる温浴施設となる。
【０００９】
上記した基本的な構成からなるこの発明の温浴施設には、密閉型浴室内の土間コンクリート上に、少なくとも上下二段組みとし、各段とも夫々所定ピッチに蛇行、配管してなる床暖房用のパイプを敷設し、それら全体を保護コンクリート層内に埋設、固定すると共に、その上に育成波エネルギーを発する自然石粉末が混練されてなる育成波コンクリート層を一定方向に向かって５％ないし２０％程度の下り勾配となるように形成した上、該育成波コンクリート層の緩傾斜面内における少なくとも一人寝用として区画する単位スペース毎の床面に、育成波エネルギーを発する性状の自然石からなる適宜大きさであって、その上面を仰臥人体の経絡上のツボ付近に当接可能な凹凸面形状とした原石盤が緩傾斜面に対して略面一状に埋設、固定されてなるものとする一方、それら原石盤を夫々含む単位スペース個々における緩傾斜面の最高位付近からは適量の温水を適時または常時流下可能にすると共に、保護コンクリート層内の床暖房用のパイプには、所定温度に調整、制御した専用ボイラからの温水を循環給湯可能にしてなるものとした温浴施設が含まれる。
【００１０】
これを換言すると、密閉型浴室内の土間コンクリート上に、少なくとも上下二段組みとし、各段とも夫々所定ピッチに蛇行、配管してなる床暖房用のパイプを敷設し、それら全体を保護コンクリート層内に埋設、固定すると共に、その上に育成波エネルギーを発する自然石粉末が混練されてなる育成波コンクリート層を一定方向に向かって５％ないし２０％程度の下り勾配となるように形成した上、該育成波コンクリート層の緩傾斜面内における少なくとも一人寝用として区画する単位スペース毎の床面に、育成波エネルギーを発する性状の自然石からなる適宜大きさであって、その上面に仰臥人体が僅かに浮いた状態に支持可能な複数の凸部を形成した原石盤が緩傾斜面に対して略面一状に埋設、固定されてなるものとする一方、それら原石盤を夫々含む単位スペース個々における緩傾斜面の最高位付近からは適量の温水が原石盤に設けた複数の凸部間を適時または常時流下可能にすると共に、保護コンクリート層内の床暖房用のパイプには、所定温度に調整、制御した専用ボイラからの温水を循環給湯可能にしてなる温浴施設ということが可能である。
【００１１】
さらに、密閉型浴室内の土間コンクリート上に、少なくとも上下二段組みとし、各段とも夫々所定ピッチに蛇行、配管してなる床暖房用のパイプを敷設し、それら全体を保護コンクリート層内に埋設、固定すると共に、その上に育成波エネルギーを発する自然石粉末が混練されてなる育成波コンクリート層を一定方向に向かって５％ないし２０％程度の下り勾配となるように形成した上、該育成波コンクリート層の緩傾斜面内における少なくとも一人寝用として区画する単位スペース毎の床面に、育成波エネルギーを発する性状の自然石からなる適宜大きさであって、その上面に勾配方向に連続する複数本の溝部もしくは網状に繋がった溝部を形状したが緩傾斜面に対して略面一状に埋設、固定されてなるものとする一方、それら原石盤を夫々含む単位スペース個々における緩傾斜面の最高位付近からは適量の温水が原石盤に設けた複数本もしくは網状の溝部を適時または常時流下可能になるようにすると共に、保護コンクリート層内の床暖房用のパイプには、所定温度に調整、制御した専用ボイラからの温水を循環給湯するようにした構成からなる温浴施設も包含する。                                                                            
【発明の効果】
【００１２】
以上のとおり、この発明の温浴施設によれば、岩盤浴可能な温泉が存在しない所で元来その恩恵を受けられなかったような場所であっても、この発明の技術的思想に基づく施設の建設が可能なところであれば何処でも、当該施設の設置により、加温した特殊な自然石から発せられる熱や電磁波等による効能を享受して人体機能の修復、増強を図ることができるようになり、しかも、育成波コンクリート層の原石盤を夫々含む単位スペース個々における緩傾斜面の最高位付近から適量の温水を適時または常時流下するようにすれば、流下温水が仰臥人体への接触面積を拡大して、より均質な仰臥人体への加温性を確保し、高い温浴効果が得られることとなり、加えて利用者の汗を洗い流して床面の衛生的な環境を自動的に維持することができるという秀れた特徴が得られるものである。
【００１３】
また、原石盤の上面を、仰臥人体の経絡上のツボ付近に当接可能な凹凸面形状とし、原石盤が発する育成波エネルギーをツボ付近により深く浸透させることが可能となるのに加え、ツボ付近に当接して指圧効果も得ることができるようになり、また、仰臥人体が僅かに浮いた状態に支持可能な複数の凸部を形成して仰臥人体背面下にも満遍なく温水が供給、流下されるようにし、原石盤の各凸部までを均質に加温できるようにすると共に、人体背面に位置する床面を常に清浄に保つことが可能になることから、同じ場所を次々に異なる利用者が利用する場合でも何ら衛生面で支障がなく、利用者も不快感等なく快適に使用することができ、さらに加えて、勾配方向に連続する複数本もしくは網状に繋がった溝部を形状したものでは、仰臥人体の有無に係わらず、上位から供給する温水は、淀みや温度ムラを発生せずに床面上を流下して均質な加温状態を維持し続けるようにするという効果を発揮するものとなる。                                                                                        
【発明を実施するための最良の形態】
【００１４】
上記したとおりの構成からなるこの発明の実施に際し、その最良もしくは望ましい形態について説明を加えることにする。
密閉型浴室は、温浴施設内を密閉状に保持可能とし、室内の温度および湿度を好適に調整、制御可能にして、岩盤石を所定温度まで加温した状態を確実に保持し易くすると共に、加温状態の石から効率的に放出される熱や電磁波などの作用効果を利用者が効率的に享受できるよう、精神的にも肉体的にも安定、休息状態のままに居続けられるようにする機能を果たすものであり、断熱性を高めて高い保温性を確保し、所定の温湿度に安定して維持可能な密閉構造とするため、出入り口の扉や窓等も密閉状に閉鎖可能なシール構造を採用したものとしなければならず、簡便にロック操作可能な把手やハンドルを有するものとすべきであり、各出入り口には、夫々風除室を設けて利用者が出入りする際の急激な気温変化を防ぐ構造として人体への悪影響が出ないようにするのが望ましい。
【００１５】
また、この密閉型浴室の室内には、天井の複数適所に室内空気を攪拌可能とする送風ファンを夫々設置すると共に、同室内適所に室内気温の上昇を検知可能な温度検知部を設け、天井付近となる壁面に、温度検知部に連動して起動可能な外気吸入用ファンを設けた上、同外気吸入用ファンに対峙する反対側の壁面同所付近にも同温度検知部に連動して起動可能な排気用ファンを設けたものとするのが良く、更に、床面上略中央付近に、育成波エネルギーを発する自然石粉末を添加した育成波コンクリートか、あるいは育成波エネルギーを発する自然石から形成された所定容量を有する升型に形成され、自動給水機構を有し、水面を室内に開放し、床面からの熱を受けて貯溜水を加熱可能とした湿度調整用升を設け、升からの蒸発水による自動湿度調整や、升から汲み上げた水を如雨露散水して室内気温を微調整することを可能とすることもできる。
【００１６】
土間コンクリートは、密閉型浴室の床面下構造物を下側から支持して床面全体の基礎を固めると共に、保温性と断熱性を高め、地面あるいは下階への熱の放出を低減する機能を果たすものであり、保護コンクリート層との間に防水シートや断熱材等を挟み込むことによって防湿性や断熱性を向上させるのが望ましく、密閉型浴室を地上一階あるいは地階等に設置する場合に、該土間コンクリートの下層に防湿土間シートを挟み込んで砕石敷込みを配し、床下空間を形成せずに地面か地中に直接接地させ、保温性を高めたものとするのが望ましく、育成波コンクリート層と同様に、育成波エネルギーを発する自然石粉末を添加したコンクリートによって形成することも可能である。
【００１７】
床暖房用のパイプは、密閉型浴室の床面下に埋設され、ボイラからの給湯を受けて床面を加熱すると共に、同浴室内の気温を上昇、維持させる機能を果たし、上下二段組みとされ、床面下に所定ピッチに蛇行、配管して夫々に専用のボイラが接続されたものとしなければならず、ワイヤーメッシュ等のラス材を上下段、もしくは上中下段の夫々に組合せ、保護コンクリート層中に埋設し、下側の土間コンクリートおよび上側の育成波コンクリート層との一体化を図り、全体強度を強化してひび割れや沈降、変形を防ぐものとすべきであり、上下二段組みのパイプ夫々には、各専用ボイラから逆向きの給湯を受けるよう配管するのが望ましく、均質な加熱を可能とするには、保護コンクリート層を厚さ１１０ｍｍ前後に設定する場合に、外径２０ｍｍ前後、内径１６ｍｍ前後のパイプを、夫々約１５０ｍｍピッチに蛇行させ、しかも上下段パイプの互いの隣接間隔が略均等となるよう配管し、更に、上下二段組のパイプの平面配置の複数箇所において互いの中途部が、悉く交叉状の配置となるよう蛇行、配管されたものとするのがよい。
【００１８】
保護コンクリート層は、上下二段に蛇行、配管された床暖房用のパイプの夫々を、土間コンクリート上と育成波コンクリート層下との間の設定位置に固定状に配置可能とすると共に、育成波コンクリート層への効率的な熱伝達を可能とし、密閉型浴室の床面に掛る荷重によって埋設されたパイプが、不用意に圧迫、変形されるのを阻止する機能を果たすものであり、一般的なコンクリートと略同等の強度を有するものとしなければならず、ワイヤーメッシュ等のラス材を組み合わせて十分な強度を確保し、土間コンクリートと育成波コンクリートとの夫々に一体化したものとすべきであり、一般的な骨材を混練したコンクリート層とすることができる外、育成波エネルギーを発する自然石あるいは同砕石等を混練したコンクリート層とすることが可能である。
【００１９】
育成波コンクリート層は、外観上は一般的なコンクリート層を形成するものでありながら、原石盤と同様の育成波エネルギーを発するものであり、自然石を密閉型浴室内の床面に面一状に埋設し、固定状に一体化して保持する機能を果たすものであり、育成波エネルギーを発する自然石粉末の適量を混練したコンクリート層としなければならず、密閉型浴室内床面の少なくとも一人寝用として区画された単位スペース、望ましくは密閉型浴室床面の略全面に渡って形成すべきであり、原石盤下側面を育成波コンクリート層中に接するよう形成することができる外、原石平板の下側面を保護コンクリート層上面に接するよう形成することも可能であり、原石盤を含む単位スペースを一定方向に向かって緩傾斜面に形成するのが望ましく、５％ないし２０％前後の下り勾配をもたせたものとするのが最も望ましく、緩傾斜面の最高位となる付近から温水を供給、流下させるものとし、さらに単位スペース内上面の適所に凹凸面形状や複数の凸部、複数本あるいは網状に繋がった溝部等を形成したものとすることができる。
【００２０】
単位スペースは、育成波コンクリート層上に所定の大きさに区画され、適所に育成波エネルギーを発する自然石から造られた所定大きなの原石盤を面一状に埋設してなり、温浴に好適な空間を確保する機能を果たし、人が一人仰臥姿勢となることが可能な縦、横寸法に区画されたスペースとし、少なくとも胸部、腰部、脚部の夫々を同時に載置可能な大きさおよび配置とした一個または複数個の原石盤を設け、同スペース内における原石盤が埋設されない箇所は、育成波コンクリートが露出されたものとしなければならず、胸部、腰部、脚部に対応する箇所の夫々に直径２０ｃｍないし３０ｃｍ程度のタイル状の原石平板を、左右に一個ずつか、または中央に一個ずつ埋設したものとすることができる外、胸部、腰部、脚部に対応する幅約３５ｃｍ、奥行約１４０ｃｍ程度の範囲に、１枚の原石盤か、あるいは、複数枚に分割された原石盤を敷き詰めたものとすることができる。
【００２１】
また、仰臥人体の頭部側から脚部側、あるいは脚部側から頭部側の何れか一方に向けて５％ないし２０％前後の下り勾配をもたせ、緩傾斜面の最高位となる頭部側端付近から、温水を供給、流下可能とし、必要に応じて該当する単位スペースに横になった利用者自身が自らの手の届く範囲に、調節操作部を設けて、流下する温水の温度や流量を、好みに応じて自在に変更、調節することを可能とする温水調節機構を設けたものとすることが可能であり、さらにまた、頭部に対応する箇所には、枕型の原石盤を配したり、あるいは、原石盤を含む範囲に仰臥人体を象った凹欠状の窪みを一定の深さに形成し、もしくは、同窪みの腰部を低く、頭部と脚部を高く設定したものとすることができる外、原石盤を含む同単位スペース全体を、仰臥人体の頭部から脚部側に向けて、腰部を低く、頭部と脚部を高く設定して楽に横たわることができるよう、大きな波型形状に設定したものとすること等ができる。
【００２２】
原石盤は、少なくともそれ自体が、波長が３μｍないし２５μｍの何れかの遠赤外線を発するものであり、その中でも４μｍないし１４μｍの波長帯を含み、人体の細胞を活性化し、血行促進等の健康に良いとされる育成波エネルギーを発生する性質をもつものでなければならず、表現を変えると超微弱振動エネルギーあるいは微弱磁気エネルギーを発して人体内の細胞を刺激し体質改善、疲労回復を助ける上、美肌効果、ダイエット、慢性疲労、腰痛、肩凝り、皮膚改善、風邪の予防等様々な効果が得られる性質をもつものであり、具体的に幾つか例示すると、角閃石（岩手県産）、天帝石（宮崎県産）、トルマリン（ブラジル産）、紫水晶（ブラジル産）、水晶（ブラジル産）等を挙げることができ、このような自然石から切り出した所定面積、所定厚さ、形状の石盤であって、必要に応じてその上面を仰臥人体の経絡上のツボ付近に当接、可能な凹凸面形状とし、または、上面に仰臥人体を僅かに浮いた状態に支持可能な複数の凸部を形成し、もしくは、上面に勾配方向に連続する複数本もしくは網状に繋がった溝部を形状したものとすることができる外、同上面を、それら凹凸面形状や複数の凸部、複数本もしくは網状に繋がった溝部を適宜組み合わせたものとすることができる。
【００２３】
専用ボイラは、各パイプに所定温度に調整、制御した温水を循環供給可能として密閉型浴室内の床面を所望する温度まで加熱可能とする機能を果たすものであり、灯油や重油、微粉炭、ガス等の各種燃料中の何れかを燃焼させ、あるいは電力等によって水を加熱、給湯するものとし、地熱等を利用せず、場所を選ばず利用可能なものとしなければならず、しかも所定量の供給水を貯溜可能な予備タンクを設け、一定水圧の給水により、安定した運転を可能とし、上下複数段の床暖房用パイプの各段毎に専用のものを設置するのが望ましく、各床暖房用パイプ専用のボイラに、単位スペースの個々における緩傾斜面の最高位付近に適量の温水を供給する機能を兼ね備えたものとすることができる外、各床暖房用パイプ専用のボイラとは別に、個々の単位スペース最高位付近に温水を供給するための専用のボイラを設置することもできる。
以下では、図面に示すこの発明を代表する実施例と共に、その構造について詳述することとする。                                                                                            
【実施例１】
【００２４】
図１の温浴施設内部の平面図、図２の暖房用パイプ配管の平面図、図３の床下構造を縦断面化した側面図、図４の密閉型浴室の散水路および給水側溝の平面図、図５の密閉型浴室の換気および循環用ファンの平面図、図６の単位スペースの平面図、および図７の単位スペース育成波コンクリートの断面図に示される事例は、ワイヤーメッシュ等のラス材４２が組み合わされ、夫々所定ピッチに蛇行、配管してなる床暖房用の少なくとも上下二段組みとしたパイプ４，４１を、密閉型浴室２内の土間コンクリート３上に敷設し、更にその上に保護コンクリート層４３を介して育成波エネルギーを発する自然石粉末を混練した育成波コンクリート層５を形成すると共に、該育成波コンクリート５面の適宜区画されたスペース５１の床面に、一定方向に向かい僅かな下り勾配をもたせた上、育成波エネルギーを発する自然石からなる適宜大きさの原石盤５２を該傾斜状床面に略面一状に埋設したものとする一方、少なくとも上下二段組みとした各パイプ４，４１には、所定温度に調整、制御した温水を夫々専用ボイラ４４，４５から循環給湯可能にし、且つ、該傾斜状床面の最高位となる付近からも温水の適量を適時あるいは常時、供給流下可能としてなる基本的構造からなるこの発明に包含される温浴施設１における代表的な一実施例を示すものである。
【００２５】
当該温浴施設１は、その入り口１１から一段高く、靴またはスリッパを脱いで入る男女更衣室１２，１３が夫々左右に配され、各更衣室１２，１３から夫々別の風除室１４，１４を介して隣接する密閉型浴室２に通じ、同密閉型浴室２の反対側となる位置には一個の風除室１４を通じて露天の涼み所１５を配置したものとなっている。
【００２６】
密閉型浴室２は、幅約１２ｍ前後、奥行約５．５ｍ前後の長方形状であり、床上面から天井下面までの高さが約３ｍ前後に設定され、その床下構造が、図３中に示すように、地上約１２０ｍｍ前後の厚さに形成した砕石敷込上に防湿土間シートを挟んで約１２０ｍｍ厚のスラブコンクリートである土間コンクリート３を設け、その土間コンクリート３上に、防水シート３１および厚さ５０ｍｍ前後の断熱材３２を順次積層し、その上層にラス材であるワイヤーメッシュ４２を配し、その上に外径２０ｍｍ前後、内径１６ｍｍ前後の暖房用下段パイプ４をピッチ間隔が約１５０ｍｍとなるよう蛇行、配管し、更に下段パイプ４上に、ワイヤーメッシュ４２を敷設し、その上に同一寸法の上段パイプ４１を１５０ｍｍピッチ間隔とすると共に、上下段パイプ４，４１が、互いに約７５ｍｍ前後の平面ピッチ間隔となるよう蛇行、配管した上、上下ワイヤメッシュ４２，４２および上下段パイプ４，４１を埋設状とするようセメントを充填して土間コンクリート３上約１１０ｍｍ前後の厚さの保護コンクリート層４３を形成し、同保護コンクリート層４３上に、育成波エネルギーを発する自然石としての角閃石（岩手県産の花崗岩）の粉末を、１平方メートル当り約１５ｋｇ前後の割合でセメントに混合、混練して厚さ約９０ｍｍ前後のモルタルとするよう打設し、育成波コンクリート層５を形成したものとなっている。    
【００２７】
上下二段組としたパイプ４，４１は、夫々図２中に示すよう、密閉型浴室２の床面下に埋設され、同図中に破線で示す下段パイプ４には、下段パイプ専用ボイラ４４を接続し、同図中に実線で示した上段パイプ４１には、上段パイプ専用ボイラ４５が接続され、個別の専用ボイラによって所定温度に調整、制御した温水を夫々、隣接する上下段パイプ４，４１に互いに逆向きに流れるよう供給可能となっている。
図２中には、上下二段組としたパイプ４，４１が、互いに平行状となるよう蛇行、配管されたものを示したが、所定ピッチを確保して、上下二段組としたパイプ４，４１が、互いの中途複数箇所において縦横交叉状となるよう蛇行、配管したものとすることが可能である。
【００２８】
密閉型浴室２の奥行方向略中央には、図４中に示すように、幅約９００ｍｍ前後、深さ約１５０ｍｍ前後の散水路６が、同密閉型浴室２の幅方向一端から他端に渡り、緩やかな下り勾配を有して凹設され、該散水路６に沿った両側には、図６および図７中に示すように、人体頭部を浴室２の奥行方向外側に向け、脚部を散水路６に向けて仰臥可能な縦約２，１００ｍｍ前後、横約７５０ｍｍ前後の寸法に区画され、壁際となる頭部側から散水路６側となる脚部側に向けて、５％ないし２０％の下り勾配をもつ平面状に形成された単位スペース５１，５１，……が、図４中に示す、各風除室１４，１４，１４の出入り口から外れた範囲に複数区画配列、形成され、各単位スペース５１，５１，……は、中央付近の仰臥人体胸部、腰部、脚部を同時に載置可能となる範囲に、育成波エネルギーを発する自然石としての角閃石から切り出された縦約１４００ｍｍ前後、幅約３５０ｍｍ前後、厚さ凡そ２０ｍｍないし１００ｍｍ前後の原石盤５２を面一状に埋設したものとするか、あるいは縦約５００ｍｍ、幅約３５０ｍｍ、厚さ凡そ２０ｍｍないし１００ｍｍ前後の２枚の原石盤５２，５２を胸部と腰部に、また縦約４００ｍｍ（幅、厚さ寸法は同じ）の１枚の原石盤５２を、脚部に相当させるよう、連ねて面一状に埋設してある。
【００２９】
また、同図４中に示すように、各単位スペース５１，５１，……の最高位となる位置には、中央付近か、あるいは略全幅に渡る範囲かの何れかに、複数の温水散布用の温水ノズル９，９，……が設けられ、これら温水ノズル９，９，……には、各単位スペース５１，５１，……毎に、夫々の利用者自らが、容易に操作可能な箇所に配され、供給温水量および給水の停止ならびに水温調節を可能とするバルブを有するものとなっており、さらにその両側には、密閉型浴室２の壁面から散水路６に向けて緩やかな下り勾配を有する、幅約２００ｍｍ前後、深さ約１００ｍｍ前後の給水側溝６１，６１，……が凹設され、各給水側溝６１，６１，……の散水路６とは反対側となる壁面側端の夫々に、密閉型浴室２内の適所か、同浴室２外の適所に設けられた管理者専用の図示しない開閉バルブによって開閉操作可能な散水ノズル６２，６２，……が配置されている。
【００３０】
図１中に示すように、各給水側溝６１，６１，……には、隣接する単位スペース５１，５１，……と略同じ傾斜勾配をもって面一状の床面を形成するか、もしくは、各単位スペース５１，５１，……間に同単位スペース５１，５１，……の最低位と略一致する水平状の床面を形成するものとなり、また、散水路６には、各単位スペース５１，５１，……の脚部型端となる最低位付近と略面一状の水平床面を形成するよう、散水路６および各給水側溝６１，６１，……に供給される水の流れを妨げない木製の簀の子６３が敷設されている。
【００３１】
密閉型浴室２の天井には、図５中に破線で示すように、３基の送風ファン７，７，７が、互いに略等間隔を隔てて配置され、室内空気を強制的に攪拌するものとし、更に、密閉型浴室２一方端側壁の天井付近に外気吸入用ファン７１を配し、これとは反対側の他方端側壁の天井付近に排気用ファン７２を配し、更に、密閉型浴室２の適所に室内温度が４５℃を越えると外気吸入用ファン７１および排気用ファン７２を自動的に起動させ、４２℃前後となったときに外気吸入用ファン７１および排気用ファン７２を自動的に停止させるサーモスタット等の図示しない温度検知部を設けたものとなっている。
【００３２】
また、涼み所１５への出入り口となる風除室１４付近であって密閉型浴室２の中央寄りとなる箇所には、天面を開放した加湿槽内に常時一定量の温水を貯溜し、密閉型浴室２内の湿度を略一定に管理可能とする湿度調整用升８が、前記育成波コンクリート層５と同一素材からなり、同育成波コンクリート層５に一体に床面上に突出する箱型に形成されたものとなっている。                                                                                        
【実施例２】
【００３３】
図８の単位スペースの平面図、および図９の単位スペースの断面図に示される事例は、この発明に包含される温浴施設における単位スペース５１の変形例を示す他の実施例を示すものであり、図１および図３中に示す、密閉型浴室２内の土間コンクリート３上に少なくとも上下二段組みとし、各段とも夫々所定ピッチに蛇行、配管してなる床暖房用のパイプ４，４１を敷設し、それら全体を保護コンクリート層４３内に埋設、固定すると共に、その上層としての育成波コンクリート層５を、一定方向に向かって５％ないし２０％前後の下り勾配を有するよう形成した上、図８および図９中に示すように、該育成波コンクリート層５の緩傾斜面内における少なくとも一人寝用として区画する単位スペース５１，５１，……毎の床面に、育成波エネルギーを発する性状の自然石からなる適宜大きさであって、その上面を仰臥人体の経絡上のツボ付近に当接可能な凹凸面形状とした原石盤５２，５２，５２が当該育成波コンクリート層５に対して略面一状となるように埋設、固定する。
【００３４】
そして、それら原石盤５２，５２，……を夫々含む単位スペース５１，５１，……個々における緩傾斜面の最高位付近に配した、図４中に示す温水ノズル９，９，……からは、適量の温水を適時または常時流下可能になるようにすると共に、図２および図３中に示す、保護コンクリート層５内の床暖房用のパイプ４，４１には、所定温度に調整、制御した専用ボイラ４４，４５からの温水を循環給湯するようにしてなり、より具体的には、各原石盤５２，５２，５２の上面には、互いに３５ｍｍないし４０ｍｍ前後の間隔を隔てて仰臥人体の経絡上のツボ付近に相当するよう配置され、３ｍｍないし５ｍｍ前後の高さに設定された複数の半球状の凸部５３，５３，……を突設したものとなっている。                                        
【実施例３】
【００３５】
図１０の単位スペースの平面図、および図１１の単位スペースの断面図は、この発明に包含される温浴施設１における単位スペース５１の、さらに外の形状を採用したものを示すものであり、原石盤５２，５２，５２を含む単位スペース５１の床面を、仰臥人体の背面側形状を象るよう湾曲凹面状の掘り下げ形状としてなり、人型の湾曲凹面の脚部側である最下位端部には、流下温水を排出可能とする流出溝５４を形成したものとなっている。また、該床面の湾曲凹面形状は、図１２の単位スペースの断面図中に示すように、仰臥人体の背面輪郭形状を略象った大きな波型形状のものとすることが可能である外、同単位スペース５１の左右幅方向断面形を、同図１２中に示すのと同一断面形状が連続したものに形成することが可能である。
【００３６】
（実施例の作用）
以上のとおりの構成からなるこの発明の温浴施設１は、以下に示すように密閉型浴室２内が温浴に適する温度、湿度となるよう制御される。
密閉型浴室２の加熱を開始するときには、各専用ボイラ４４，４５を起動させ、図２中に示すように、実線と鎖線とで示す上下二段組の各パイプ４，１４の夫々に互いに隣接する配管同士に逆向きとなる個別の給湯を行い、床面全体に渡って略均質に加熱するものとし、床面全体を数日ないし一週間程度を掛けて徐々に加熱して行き、単位スペース５１の露出面温度を５０℃前後に安定させ、各専用ボイラ４４，４５は、２４時間止まることなく連続的に給湯を継続するよう制御して単位スペース５１の露出面温度を常時５０℃前後に加熱するものとする。
【００３７】
密閉型浴室２内の気温が次第に上昇して４２℃前後に達した頃から、図４中に実線矢印で示すように、全ての散水ノズル６２，６２，……から少量ずつの水を同時放水し、各給水側溝６１，６１，……をゆっくりと流下させ、徐々に散水路６に白抜き矢印で示すように放流して流水膜を形成し、床面からの加熱によって蒸発させ、室内湿度を９０％前後まで上昇させると共に、室内気温が４５℃を越えたときに、再度同様の散水を実行して床面から気化熱を奪って室内気温を、４２℃前後まで低下させるよう誘導し、浴室内湿度を９０％前後に保つよう制御する。
また、各単位スペース５１，５１，……の最高位となる箇所に設けられた温水ノズル９，９，……からは、同図４中に破線白抜き矢印で示すように、緩傾斜面の略全面に渡って温水流膜を形成するよう、温水がゆっくりと供給、流下され、その流量および水温は、利用者が各自の好みに合わせて自由に温度設定および流量設定して利用できるようにすることも可能である。
【００３８】
そして、密閉型浴室２内の気温が４２℃前後に達した頃から、図５中に示すように、同浴室２内の天井面に設置された複数基の送風ファン７，７，７を破線矢印で示すように起動させ、室内の何処においても略同じ温度、湿度を保つことができるように室内空気を万遍なく攪拌し、更に、同浴室２内の気温が４５℃を越えると、これを検知した温度検知部が外気吸入用ファン７１および排気用ファン７２を自動的に起動させ、同図５中に白抜き矢印で示すように、密閉型浴室２内に新鮮な外気を強制的に取り込むと共に、吸入空気と略同量の室内空気を室外に強制排気して室内気温を低下させると同時に換気を行い、温度検知部が同浴室２内気温が４２℃に達したことを検知すると、外気吸入用ファン７１および排気用ファン７２を自動的に停止し、浴室２内気温を略一定範囲内に安定、維持するようにしている。
【００３９】
湿度調整用升８は、その加湿槽内に常に一定量の貯溜水を確保し、開口している天面に露出した水面から常時水分を蒸発させ、密閉型浴室２内の湿度を高く維持すると共に、それ自体が育成波コンクリートから形成されていることから、その周辺や貯溜水に向けて育成波エネンルギーを放射し続ける。
【００４０】
このようにして、密閉型浴室２内の気温および湿度ならびに単位スペース５１の温度等を夫々稼動時間に亘って適正に連続制御して最適な条件で温浴利用することが可能となり、利用者は、図１中の男女更衣室１２，１３で浴衣やジャージ等の汗をかいてもよい服装に着替えた後、更衣室１２，１３と密閉型浴室２との中間辺りの温度で各更衣室１２，１３よりも高めに設定してある夫々の風除室１４，１４に一旦入り、身体を高めの温度に馴染ませ、それよりも高い温度設定の密閉型浴室２内に入ったときの身体の負荷を無くすようにした上で、当該風除室１４，１４を抜けて密閉型浴室２内に入り、予め区画してある何れかの単位スペース５１を選び、その場所の原石盤５２，５２，……の埋め込まれた範囲を含む単位スペース５１上で、先ずうつ伏せに寝転んで５分間前後に渡って胸部と腹部とを暖めながら胃腸などの内臓器官の機能を回復ないしは活発化させた後、次に背中や腰部がわが夫々原石盤５２上に乗るように仰向けになって５分ないし１０分間程度暖まって人体背面側の筋肉や関節の機能を中心に、方向を変えた各種内臓器官の機能も含め、それら機能を回復ないしは活発化させ、その後、密閉型浴室２内の気温よりも低く、外気温よりも高い気温の３０ないし３５℃前後に気温が保たれ、身体に急激な温度変化を与えて負荷を掛けないよう配慮して配されている風除室１４を通って涼み所１５に移動し、その僅か１５ないし２０分間程度の間にも大量の汗を伴うため、持ち込んだミネラルウォーターなどで失った水分を補給するようにする。
【００４１】
この間、涼み所１５内に用意してあるベンチに座る等して暫く休憩を取らなければならないが、屋外にも通じるよう設計してある涼み所１５では新鮮な外気を取り入れ、そうでないところでは空調設備に頼るなどして身体の火照りを納めるよう約５分程度の時間を目処（但し、季節によっても違うし、個人差も考慮する。）にするようにし、身体が冷め過ぎない中に、出てきたときと逆の経路で、今度は冷えてしまった身体をやや暖めるために風除室１４を通って密閉型浴室２内に入り、最初と同じようにうつ伏せ状態と仰向け状態との横たわりを、最初の時間よりも短い時間であって利用者が耐えられる時間に渡って繰り返しては、再度風除室１４を経由して涼み所１５に移動して休憩するという具合に、密閉型浴室２内での温浴と涼み所１５での休憩という一連の温浴工程を、合計２ないし３回に渡って繰り返すことにより、汗と共に老廃物や過酸化脂質、重金属や農薬等の毒素等が体外に排出して新陳代謝を促し、惹いては身体機能の回復、活発化させて健康的な弱アルカリ性体質に導くこととなる。
【００４２】
多くの人々が、利用して汗を流した後の密閉型浴室２内には、様々な雑菌やウイルスが残される虞れもあるが、各単位スペース５１，５１，……毎に設置された温水ノズル９，９，……からの温水の供給、流下により、利用者が横たわって温浴効果を享受している最中にも、それら汚れが悉く洗い流されてしまうこととなる上、原石盤５２自体および育成波コンクリート層５に含まれる角閃石（育成波エネルギーを発する自然石）は、殺菌・消臭作用を有していて汗と共に排出された汚染物質等を分解する結果、悪臭の発生も押さえながら壁面や床面等に黴や汚れの付着等が発生させることもなく、密閉型浴室２内の空気を含む全体を衛生的な環境に維持する。
そして、夜間や休業の際の清掃時に、密閉型浴室２内を放水、ブラシ洗浄した後、散水ノズル６２，６２，……および温水ノズル９，９，……からの放水を全て停止してしまい、所定時間に渡って床面からの加温だけによって密閉型浴室２内全体を十分に乾燥させて雑菌やウイルスを完全に死滅させ、翌日の営業に備えるようする。
【００４３】
緩傾斜面状に形成された単位スペース５１は、図７中に白抜き矢印で示すように、その表面上に温水をゆっくりと流下させるようにしてあり、その水温と供給量とを利用者自身が各自自由に調節できるようにしたものでは、利用者各自が好みに合わせて床面温度を調節するのに好都合である上、仰臥人体と床面との隙間を流下温水で満たして身体への温浴効果を高められる上に、図８中に示すように、仰臥人体のツボ付近に相当する複数箇所に凸部５３，５３，……を形成し、仰臥人体と床面との間に温水膜が通過可能な程度の僅かな隙間を形成し、利用者が寝転がっている間にも床面温度を均質化できると共に、凸部５３，５３，……の原石盤５２，５２，５２は、育成波エネルギーを放射する作用に加えてツボを刺激する作用も果たすこととなる。
【００４４】
また、図１０および図１１中に示すように、仰臥人体が没するような凹欠形状とし、横たわった人体の背面だけに留まらず、湾曲壁面に包囲された周囲方向からも育成波エネルギーを受けるようになり、しかも緩傾斜面を流下する温水もより多く人体に接触することとなって温浴効果が高められ、さらに、図１２中に示すように、人体背面の輪郭形状を象った波型湾曲凹面形状として、原石盤５２，５２，５２自体の仰臥人体への接触面積をさらに一層増加させて温容効果を高めるだけではなく、利用者が横たわったときに、緩傾斜面下側への自然のズレを抑止して不要な緊張を無くし、さらにリラックスした温浴を可能にする。
【００４５】
（実施例の効果）
以上のような構成からなる実施例１の温浴施設１は、前記この発明の効果の項で記載した特徴に加え、図１および図４中に示したように、密閉型浴室２の略中央を縦断する散水路６の両側に複数の単位スペース５１，５１，……を配して多数の利用者が同時に利用可能となり、しかも図２および図３中に示したように、床下に上下二段組としたパイプ４，４１を埋設し、各単位スペース５１，５１，……の全てを均質に加温できるようしており、また図４中に示すように、各単位スペース５１，５１，……の両側に配された散水ノズル６２，６２，……、給水側溝６１，６１，……を通じて散水路６に至るよう放流、散水するようにし、各単位スペース５１，５１，……が皆同様に冷却され、しかも均等に加湿されることとなって、何れの単位スペース５１を選択した利用者も皆同等の温浴効果を享受することができるようになって、その温浴効能を確実に満喫できるようになるという大きな特徴が得られるものとなる。
【００４６】
また、密閉型浴室２の中央に設置した湿度調整用升８の貯溜水が常時加温されて蒸発し、密閉型浴室２内の湿度を所定の範囲に保ち続けて過剰な乾燥を確実に防止することができるようになる外、給水側溝６１や散水ノズル６２に簀の子６３を装着して濡れた床面の露出を無くし、各単位スペース５１，５１，……を除く床面全体が、それら各単位スペース５１，５１，……の脚部がわ最低位と略一致する平面状に仕上げられており、歩行中の躓きや転倒を防止できるものとなし、利用者のより高い安全性を確保することができるという効果を発揮する。
【００４７】
さらに、図８および図９中に示した実施例２のように、原石盤５２，５２，５２の上面の仰臥人体の経絡上のツボに略相当する位置の複数箇所に凸部５３，５３，……を突設しものでは、単位スペース５１に仰向けもしくは腹這いに横たわった利用者の複数のツボを同時に刺激すると共に、各凸部５３，５３，……からツボに向けて育成波エネルギーを集中的に放射することになって、より高い指圧効果とマッサージ効果とを得ることができるものとなり、図１０および図１１に示した実施例３のように、原石盤５２，５２，５２を含む単位スペース５１の仰臥人体に相当する部分を湾曲凹面状とし、同凹面部分に体を沈めるよう横たわって温水をゆっくりと流下させながら温浴するようにすると、背面からだけでなく身体を包み込むように育成波エネルギーを受けられ、また図１２中に示した波型形状としたものでは、人体背面への接触面積をさらに増加させ、一段と効果的に育成波エネルギーを受容することができるようになるという利点が得られるものとなる。
【００４８】
（結  び）
叙述の如く、この発明の温浴施設は、その新規な構造によって所期の目的を遍く達成可能とするものであり、育成波コンクリート層の原石盤を含む単位スペースを緩傾斜面状に形成し、その床面の最高位となる端部側から温水をゆっくりと供給、流下させることにより、従来型の温浴施設では得ることのできなかった新たな温浴効果を得ることが可能となり、しかも緩傾斜面上に次々に供給、排出される温水によって、利用者の汗や汗と共に排出された老廃物等を速やかに洗い流し、単位スペースを常に清浄に保ち、清掃作業の効率を大幅に高めることができることから、管理作業の負担を軽減して費用の削減を確実に達成可能にし、温浴による健康の回復、増進を望む利用者と、こうした利用者に温浴サービスを提供する温浴施設の管理、運営者等に高く評価され、広範に渡って利用、普及していくものと予想される。                                                                    
【図面の簡単な説明】
【００４９】
図面は、この発明の温浴施設の技術的思想を具現化した代表的な実施例を示すものである。
【図１】温浴施設の内部構造を示す平面図である。
【図２】上下二段組としたパイプの配管構造を示す平面図である。
【図３】床下構造を縦断面化して示す側面図である。
【図４】散水路および給水側溝の配置構造を示す平面図である。
【図５】密閉型浴室の送風ファンおよび吸排気ファンの配置を示す平面図である。
【図６】単位スペースの形状を示す平面図である。
【図７】単位スペースの構造を示す断面図である。
【図８】一部に変更を加えた単位スペースの形状を示す平面図である。
【図９】一部に変更を加えた単位スペースの構造を示す断面図である。
【図１０】湾曲凹面状とした単位スペースの形状を示す平面図である。
【図１１】湾曲凹面状とした単位スペースの構造を示す断面図である。
【図１２】略波形状とした単位スペースの構造を示す断面図である。
【符号の説明】
【００５０】
１      温浴施設
１１    同  入り口
１２    同  男子更衣室
１３    同  女子更衣室
１４    同  風除室
１５    同  涼み所
２      密閉型浴室
３      土間コンクリート
３１    同  防水シート
３２    同  断熱材
４      下段パイプ（床暖房用のパイプ）
４１    同  上段パイプ（床暖房用パイプ）
４２    同  ラス材（ワイヤーメッシュ等）
４３    同  保護コンクリート層
４４    同  下段パイプ専用ボイラ
４５    同  上段パイプ専用ボイラ
５      育成波コンクリート層
５１    同  単位スペース
５２    同  原石盤
５３    同  凸部
５４    同  流出溝
６      散水路
６１    同  給水側溝
６２    同  散水ノズル
６３    同  簀の子
７      送風ファン
７１    同  外気吸入用ファン
７２    同  排気用ファン
８      湿度調整用升
９      温水ノズル                                                                      
【図１】
2007307260.tif 000003
【図２】
2007307260.tif 000004
【図３】
2007307260.tif 000005
【図４】
2007307260.tif 000006
【図５】
2007307260.tif 000007
【図６】
2007307260.tif 000008
【図７】
2007307260.tif 000009
【図８】
2007307260.tif 000010
【図９】
2007307260.tif 000011
【図１０】
2007307260.tif 000012
【図１１】
2007307260.tif 000013
【図１２】
2007307260.tif 000014